(57)【特許請求の範囲】
【請求項１】
ローマ字入力かな漢字変換方法において、かなに対応しない英字２字について１字目、２字目の各英字により決まる２次元アドレスを有するユーザー独自の辞書メモリを作成しておき、該英字２字、ただし３字目でかなとなる可能性のある英字２字を除く、の入力に対して、変換キー打なしに、該英字２字に対応する前記２次元アドレスに格納された漢字などを含む１つの定型句又は区切りマークを介して連結された複数の定型句が読み出され、１つの定型句は選択・確定キー打不要で出力確定されるようにし、他方複数の定型句についてはそのうちの１つの定型句が選択キー打により、出力確定されるようにした、拡張漢字出力方法。
【請求項２】
入力された英字２字に対して、変換キーが打たれて、該２字に対応する、ユーザー独自の辞書メモリのアドレスに格納された１つ又は複数の定型句が読み出されるようにした、請求項１に記載の拡張漢字出力方法。
【発明の詳細な説明】
【技術分野】
【０００１】  本発明は、拡張漢字出力方法に関し、詳しくはローマ字入力かな漢字変換方法をそのまま使用しながら、入力されたかなに対応しない英字２字をキーにして漢字などを含む定型句を読み出し、出力させるようにした拡張漢字出力方法に関する。
【背景技術】
【０００２】  現在、広く使用されているローマ字入力かな漢字変換方法は、かなの多くがローマ字２字からなり、全体として入力キーの打数が多いが、入力したかなに対し数多くの同音異義語が網羅されているシステム辞書のため、変換キー及び選択・確定キーを押して、目的の漢字が少し手間がかかるが容易に出力される。【０００３】
【特許文献１】特開２００４−３０６５４号公報
【特許文献２】特開平１０−２２２５０３号公報
【特許文献３】特開昭６３−２１１０６１号公報
【非特許文献１】日本語入力ガイド、Ｍｉｃｒｏｓｏｆｔ  ＩＭＥ９７  ｆｏｒ  Ｗｉｎｄｏｗｓ（登録商標）  ９５  Ｕｐｇｒａｄｅ
【非特許文献２】一太郎２００６、文字入力の流れ（１６６頁）
【非特許文献３】マイコンサーキュラ、１９８３、２月号、「パソコンの漢字入力方法」（４３−５１頁）
【０００４】  ところで、このローマ字入力かな漢字変換方法では、かなに対応するローマ字を入力しなければならない。これは当然のことであるが、入力ミスをした場合、かなに対応しない英字２字、例えば子音２字を打ってそのまま子音２字が画面に表示され、あわてて、ＥＳＣキーを押して、キーを打ち直すことがよくある。
しかしながら、ミス入力ではなく、意図的に例えば「ｋｋ」と打って、即座に「株式会社」と出力されると、その場合、変換キーも選択・確定キーも使わずに出力・表示確定すると、効率的である。
他方、日常生活をみてみると、英字の使用は広く行われており、上記の例のように英字２字に短縮して用いる例は文書事務などで普及している。「ｐｃ」は「パーソナルコンピュータ」であることは誰でも知っている。氏名なども英字２字に短縮して記載する例もある。よく使う用語を自分なりに覚えやすい英字２字に短縮して、独自の辞書に登録しておけばよいので、このような有用な方法が提案される。
【発明の開示】
【発明が解決しようとする課題】
【０００５】  本発明の課題は、ローマ字入力かな漢字変換方法をそのまま使用しながら、入力されたかなに対応しない英字２字をキーにして予め用意されたユーザー独自の辞書に格納された漢字などを含む定型句を読み出し、出力させるようにした拡張漢字出力方法を提供することである。  ここで、英字２字とはキーボード上のアルファベット文字、記号及び数字を含むが、数字２字の組合わせは除外される。
【課題を解決するための手段】
【０００６】  本発明は、ローマ字入力かな漢字変換方法において、かなに対応しない英字２字について１字目、２字目の各英字により決まる２次元アドレスを有するユーザー独自の辞書メモリを作成しておき、該英字２字、ただし３字目でかなとなる可能性のある英字２字を除く、の入力に対して、変換キー打なしに、該英字２字に対応する前記２次元アドレスに格納された漢字などを含む１つの定型句又は区切りマークを介して連結された複数の定型句が読み出され、１つの定型句は選択・確定キー打不要で出力確定されるようにし、他方複数の定型句についてはそのうちの１つの定型句が選択キー打により、出力確定されるようにした、ことを特徴とする。
【発明の効果】
【０００７】  本発明によれば、ローマ字入力かな漢字変換方法の便利さはそのまま保持され、使用頻度の高い用語ないし定型句は短縮された英字２字を入力することで、即座に出力され、全体としてキー入力が少なくて、効率の良い文章作成が可能となる。
【発明を実施するための最良の形態】
【０００８】  ローマ字入力かな漢字変換方法において、かなに対応しない英字２字の入力に対して、変換キー打なしで、該英字２字に対応する、システム辞書とは別のユーザー独自の辞書アドレスに格納された漢字などを含む１つの定型句を読出して、これを選択・確定キー打不要で出力確定するようにする。
ローマ字入力かな漢字変換方法において、数字もキー入力が可能となっているので、かなに対応しない英字１字と数字１字との２字組合わせの入力に対して、ユーザー独自の辞書を同様に読み出して同様に出力されるようにする。これにより、用語を登録すべきアドレス数が増える。
ユーザー独自の辞書に、１つの定型句に代えて複数の定型句が区切りマークを介して結合して格納しておけば、これより区切りマークを検出して読み出し、そのうち１つ定形句を選択し、出力確定するようにする。この場合、複数の同音異義語でなく、よく使う関連ある用語をまとめておけば、便利である。
２字の入力がミスであった場合には、変換キー打なしに即座に出力された用語は特定の機能キー、例えばＥｓｃキーの入力により消去されるようにする。
２字の入力にミスがあったかどうか目視により確かめるために、変換キー打を待って、ユーザー独自の辞書を読み出し、これを選択・確定キー打不要で出力確定するようにするのもよい。
【実施例】
【０００９】  本発明の好適な実施例は図面に基づいて説明される。
図１はローマ字入力かな変換方法が実行されるコンピュータの構成例を示し、１０は制御装置、１２はキーボード、１４はディスプレの表示器、１６は記憶装置である。
図２は本発明の１実施例を示したフローチャート、図３は本発明によるユーザー独自の、つまり隠し辞書メモリの構成図示例である。【００１０】  図２に示す実施例では、ステップＳ１からＳ１４までは、現に使われているローマ字入力かな漢字変換方法を示すものである。
ステップＳ１で英字１字目がキー入力され、ステップＳ２でそれが母音であるかを問われ、母音であれば、ステップＳ３であ行のいずれかのかなが表示され、ステップＳ４で漢字変換するかを問われ、そうするならばステップＳ５で変換キー（スペースキー）を打ち、現れた候補の漢字を選び、選択・確定キー（Ｅｎｔｅｒキー）を打って、選択された漢字が確定し表示され、次の文字を入力するために、ステップＳ１へ戻る。ステップＳ４で漢字変換しない場合にはその対応かなを確定するかをステップＳ６で問われ、確定するならステップＳ７で確定キー（Ｅｎｔｅｒキー）を打って、対応かなが確定表示され、次の文字を入力するために、ステップＳ１へ戻る。ステップＳ６で確定しない場合は次のかな入力のためステップＳ１へ戻る。【００１１】  ステップＳ２で英字１字目が母音でない場合、ステップＳ８で英字２字目が入力され、ステップＳ９で英字２字がかなに対応するか問われ、かなに対応するならば、ステップＳ３に進み、前記の通りの手順操作が行われる。ステップＳ１０で英字３字目の入力でかなを構成するか問われ、図３のメモリアドレスで「？」を示す、例えば「ｂｙ」などについては、ステップＳ１１で英字３字目が入力され、ステップＳ１２で「ｂｙ」なら特定母音は「ａ，ｉ，ｕ，ｅ，ｏ」（場合によっては例えば「ｆｙ」については特定母音は「ａ，ｕ，ｏ」となる。）であり、そのいずれかであるかを判断され、該当するならば、対応かな、例えば「びゃ」がステップＳ３で表示され、前記手順操作が行われる。もし、特定母音でなければ、ステップＳ１３で例えば「ｂｙｓ」のように英字３字が表示され、これはミス入力と判断して、［ｅｓｃ］キー又は［Ｂａｃｋ  ｓｐａｃｅ］キーを押して、消去し、ステップＳ１へ戻る。【００１２】  ステップＳ１５では、かな非対応英字２字（例えば「ｂｃ」など）の入力が確認され、ただし先のステップＳ１０で例えば「ｃｈ」、「ｃｙ」は３字目の入力によってはそれぞれ「ちゃ」と、かなとして変換されるので除外される。このことを説明するために、図３では１字目「ｃ」に対して２字目「ｈ」、「ｙ」に該当する所は「？」で示されている。上記した除外、確認された英字２字は、それ自体で、別に作成されたユーザー独自の辞書メモリの２次元アドレスが決まる。例えば「ｂｃ」ならば、図３の構成例では、Ｘ列１番、Ｙ列２番となる。
このように英字２字によりメモリアドレスが即座に指定され、そこに漢字などを含む１つの定型句又は区切りマーク、例えば「＊」、を介して連結された複数の定型句が格納されており、ステップＳ１５により変換キー打なしに読み出され、読み出された内容に区切りマークを含むかをステップＳ１６で問われ、区切りマークがなければ、ステップＳ１７により適当カーソル位置に当該１つの定型句が出力・表示確定され、その際選択・確定キーは不要となり、次の操作となるステップＳ１へ進む。【００１３】  次に、ステップ１６で区切りマークを検出すれば、ステップＳ１８で複数定型句のうち先頭定型句を表示させ、ステップＳ１９でこれが目的の定型句であるかどうかを確かめ、そうであるなら確定キー打によりその定型句を出力・表示確定させ（ステップ２０）、次の操作となるステップＳ１へ進む。【００１４】  ステップＳ１９で先頭定型句が目的の定型句でないなら、変換キーを打って、全ての連結定型句を表示させ、選択・確定キー打により目的の定型句を出力・表示確定し、次の操作となるステップＳ１へ進む。【００１５】  なお、ステップＳ７、Ｓ５、Ｓ１４、Ｓ１７、Ｓ２０及びＳ２１では確定フラグを立て出力し、またステップＳ６ではそのフラグをリセットし、ステップ１５の処理はこのフラグ又は初期入力を確認して行なわれる。ローマ字入力により連続してかな変換された場合、いったん確定キーを押された後でステップＳ１５が処理される。図３の例では、「この接着剤」と入力する場合、「ｋｏｎｏ［確定キー打］ｂｄ」とする。
しかしながら、「ｋｏｎｏｂｄ」と打って「この接着剤」と出力させる方法も考えられる。この場合、辞書の読出しの際に確定キー打に相当する確定フラグをセットにするよう内部制御する。しかし、辞書の指定されたアドレスになんら定型句が格納されていない場合にはそのような制御を行わないようにすることも提案される。【００１６】  図３に示した隠し辞書メモリの構成例では、かな非対応英字２字により指定されるごく一部のアドレスに１字ないし複数の漢字が格納、登録されている。１字目、２字目ともに、０の後に”ー＾￥＠「；：」、。・」”の記号なども含めて２次元メモリを構成し、アドレスの数を増やすこともできる。なお、記号にはシフトキーを使って「！、”、＃、＄、％、＆、’、（、）、＝、〜」などもあり、これらを含めるとさらにアドレスの数が増える。【００１７】  ｂｂの部分はｂｕｂｕｎ（ローマ字読み）より短縮され、以下同様に、ｂｃの番地はｂａｎｃｈｉ（ローマ字読み）より、ｂｄの接着剤はｂｏｎｄ（英単語）より、ｂｆの前はｂｅｆｏｒｅ（英単語）より、ｂｈの浜はｂｅａｃｈ（英単語）より、ｂｊの美はｂｉｊｉｎ（ローマ字読み）より、ｂｋの本はｂｏｏｋ（英単語）より、ｂｌの鈴はｂｅｌｌ（英単語）より、ｂｍの底はｂｏｔｔｏｍ（英単語）より、ｂｐの物はｂｕｐｐｉｎ（ローマ字読み）より、ｂｑの驚はｂｉｑｑｕｒｉより、ｂｚの電話はｂｕｚｚｅｒより、ｂ１の壱はｂａｎｋ（銀行）で用いる数字より、等々で、それぞれ短縮されている。
また記号同士の２字もかなを構成しないので本発明を適用できるので、「＜＞」＝「開」、「＞＜」＝「閉」など絵文字を連想して容易に出力できるようにする。登録すべき用語ないし定型句は漢字に限らない。【００１８】  図３に示した辞書メモリの「ｋ１」に対応するアドレスには、１つの定型句に代えて複数の定型句が区切りマークを介して結合させ、すなわち「大阪府＊京都府＊兵庫県＊滋賀県＊奈良県＊和歌山県＊」として格納されており、これより区切りマーク「＊」を検出した場合、その先頭句「大阪府」を表示し、これが目的のものであれば、確定キー打により出力確定させ、違うならば変換キー（スペースキー）打により、１．大阪府、２．京都府、３．兵庫県、４．滋賀県、５．奈良県、６．和歌山県として連結された複数の定型句を表示させ、その１つを選択、出力・表示確定させるようにする。これは同音多異義語より１つを出力・表示させている従来手順を利用できるが、他の方法により１つの定形句を選択、出力確定してもよい。その際、学習機能により先頭位を変えてもよく、又は固定でもよい。
このように、或る関連用語ないし定型句をグループとしてまとめて登録しておき、短縮２字により１つの定形句を選択、出力確定できることは、ワープロによる文書作成上効率的である。【００１９】  ユーザー独自、いわゆる隠し辞書へ短縮英字２字と対応する１つ又は複数の定型句を登録するには、そのためのツールソフトが設けられる。好ましくは、文章入力の際に特殊機能キーを押して、登録できるようにする。いずれにしても、いったん登録された内容は自由に変更できるようにする。これらのソフトは当業者なら作成できる。【００２０】  かな非対応の英字２字に入力ミスがあり得る。それを確かめるために、ミスであれば打ち直し、ミスでなければ（かな非対応の意図した２字であれば）、ステップＳ１０とステップＳ１５との間に変換キー打のステップを挿入して、ユーザー独自の辞書を読み出し、１つの定型句を、又は複数の定型句よりその１つを選択し、出力確定するようにする。
【図面の簡単な説明】
【００２１】
【図１】コンピュータの構成例示図。
【図２】１実施例を示したフローチャート。
【図３】ユーザー独自の、つまり隠し辞書メモリの構成図示例。
【図１】
0004811770.tif 000002
【図２】
0004811770.tif 000003
【図３】
0004811770.tif 000004